(57)【特許請求の範囲】
【請求項１】
ＬＣＤホルダに配備された液晶表示板と、
前記ＬＣＤホルダ内の、前記液晶表示板の前面に配備された、一側面から入射した光をガイドして背面から該液晶表示板に向けて出射するとともに該液晶表示板で反射した光を背面から入射して前面に出射する矩形板状のフロントライトガイド板と、
前記一側面に沿って配置され該一側面から前記フロントライトガイド板に光を入射する光源モジュールと、
断面コ字状であって前記フロントライトガイド板の前記一側面を除く３つの側面に沿って延在し該フロントライトガイド板の周縁を挟み込んで該フロントライトガイド板を支持し、該フロントライトガイド板と一体的に前記ＬＣＤホルダ内に配備されたフロントライトガイド板ホルダとを備えたことを特徴とする液晶表示モジュール。
【請求項２】
前記ＬＣＤホルダと前記フロントライトガイド板ホルダが、相互に係合して、該ＬＣＤホルダに対する前記フロントライトガイド板の位置を、該フロントライトガイド板ホルダが前記液晶表示板を押す位置に固定する各係合部を備えたことを特徴とする請求項１記載の液晶表示モジュール。
【請求項３】
前記液晶表示板が、所定のフレキシブル基板取付側に段差を持った、液晶層を含む複数の層を挟む２板のガラス板を有し、該２枚のガラス板のうちの、段差を持って張り出した側の１枚のガラス板の該段差の部分に、この液晶表示板駆動用の配線が形成されたフレキシブル基板の一端が取り付けられ、さらに該一端を該１枚のガラス板の該段差の部分との間に挟む補強板を備えたことを特徴とする請求項１記載の液晶表示モジュール。
【請求項４】
前記液晶表示板を駆動するための配線が形成され該液晶表示板に一端が固定された第１のフレキシブル基板と、
前記フロントライトガイド板の一側面に隣接して該フロントライトガイド板と一体的に配備された、光源と、該光源からの光を導いて該フロントライトガイド板に該一側面から入射させるライドガイドバーと、前記光源への電力供給用の配線が形成された第２のフレキシブル基板とを有する光源モジュールとを備え、
前記第１のフレキシブル基板と前記第２のフレキシブル基板が、相互に組み合う結合部を備えたものであることを特徴とする請求項１記載の液晶表示モジュール。
【請求項５】
画像を表示する液晶表示モジュールを内蔵した携帯端末において、
前記液晶表示モジュールが
ＬＣＤホルダに配備された液晶表示板と、
前記ＬＣＤホルダ内の、前記液晶表示板の前面に配備された、一側面から入射した光をガイドして背面から該液晶表示板に向けて出射するとともに該液晶表示板で反射した光を背面から入射して前面に出射する矩形板状のフロントライトガイド板と、
前記一側面に沿って配置され該一側面から前記フロントライトガイド板に光を入射する光源モジュールと、
断面コ字状であって前記フロントライトガイド板の前記一側面を除く３つの側面に沿って延在し該フロントライトガイド板の周縁を挟み込んで該フロントライトガイド板を支持し、該フロントライトガイド板と一体的に前記ＬＣＤホルダ内に配備されたフロントライトガイド板ホルダとを備えたものであることを特徴とする携帯端末。
【発明の詳細な説明】
【０００１】
【発明の属する技術分野】
本発明は、例えば携帯電話等に用いられる液晶表示モジュール、およびその液晶表示モジュールを内蔵した、携帯電話等の携帯端末に関する。
【０００２】
【従来の技術】
従来より表示機能を有する様々な機器に液晶表示モジュールが採用されている。例えば近年携帯電話が目覚しく普及し多数の人々が携帯電話を利用するようになってきているが、この携帯電話にも液晶表示モジュールが搭載されている。さらにその表示画面のカラー化が進み、携帯電話は単に電話をかけるという利用方法にとどまらず、電子メールやインターネットの機能も兼ね備え、まさに「モバイル」として確立された情報端末となってきている。このような背景から、例えば携帯電話機等に搭載されて情報を表示する液晶表示モジュールの重要性が益々高まってきており、表示の綺麗さ、表示の信頼性などが重要視されている。
【０００３】
携帯電話機等に搭載される液晶表示モジュールにはフロントライト構造のものとバックライト構造のものがある。フロントライトは反射型の液晶表示板と組み合わせて用いられ、反射型液晶表示板の前面にライトガイド板を配置してその反射型液晶表示板にその前面から光を照射しその反射型液晶表示板で反射して戻ってきた光をライトガイド板を透過させてその透過した光を観察に供するタイプのものであり、一方、バックライトは透過型の液晶表示板と組み合わせて用いられ、その透過型液晶表示板にその裏面から光を照射しその透過型液晶表示板を透過してきた光を観察に供するタイプのものである。
【０００４】
【発明が解決しようとする課題】
フロントライト構造のものは外光も取り込んで液晶表示板に照射されるため、明るくて見やすい画面を表示することができるという特徴があり、バックライト構造のものは、暗い場所ではバックライトにより画面を見ることができるが、明るい場所ではその外光が邪魔になって見にくい画面となってしまうという欠点を有する。
【０００５】
それにもかかわらず、携帯電話等では、フロントライト構造の液晶表示モジュールを採用しているものは少ないという現状にある。その理由は、１つには、フロントライト構造の液晶表示モジュールに用いられる、液晶表示板の前面に配備され光をガイドして液晶表示板に導くフロントライトガイド板の取扱いが困難であること、もう１つには、フロントライトガイド板と液晶表示板との間にゴミや粉塵等が侵入したときの影響の大きさにあるものと考えられる。
【０００６】
フロントライトガイド板は光を効率良くガイドして液晶表示板に照射する必要上、裏面に反射防止膜を形成する等の処理が施されており、そこに指が触れてしまうと表示性能が極端に劣化してしまうという問題がある。
【０００７】
また、フロントライトガイド板と液晶表示板との間にゴミや粉塵等が侵入した場合、その構造上、侵入したゴミや粉塵が小さなものであっても表示点灯した時にはっきりと目立ち、表示の綺麗さや表示の信頼性を大きく損ねる結果となる。
【０００８】
これらを防止するためには、液晶表示モジュールの組立作業にあたり、フロントライトガイド板の面に指が触れないよう慎重に取り扱い、またフロントライトガイド板と液晶表示板との間にいかに小さなゴミや粉塵であっても侵入しないよう細心の注意を払いながら組み立てる必要があり、このため作業能率が低下し、それでもなお不良品が多く発生するなど、生産性に大きく影響が出ることになる。
【０００９】
本発明は、上記事情に鑑み、表示の信頼性の向上が図られたフロントライト構造の液晶表示モジュールおよびその液晶表示モジュールを内蔵した、携帯電話等の携帯端末を提供することを目的とする。
【００１０】
【課題を解決するための手段】
上記目的を達成する本発明の液晶表示モジュールは、
ＬＣＤホルダに配備された液晶表示板と、
ＬＣＤホルダ内の、液晶表示板の前面に配備された、側面から入射した光をガイドして背面から液晶表示板に向けて出射するとともに液晶表示板で反射した光を背面から入射して前面に出射するフロントライトガイド板と、
フロントライトガイド板周縁を覆ってそのフロントライトガイド板を支持し、そのフロントライトガイド板と一体的にＬＣＤホルダ内に配備されたフロントライトガイド板ホルダとを備えたことを特徴とする。
【００１１】
本発明の液晶表示モジュールは、上記のフロントライトガイド板ホルダを備えたものであるため、フロントライトガイド板に直接に指で触れる代わりに、そのフロントライトガイド板ホルダを指で持ち上げて作業することができ、フロントライトガイド板に直接に指が触れる可能性が低下し、取扱いが容易となる。
【００１２】
また、そのフロントライトガイド板ホルダがあることでフロントライトガイド板側面からの光漏れを防止でき、光の利用効率が高まる。
【００１３】
ここで、上記本発明の液晶表示モジュールにおいて、ＬＣＤホルダとフロントライトガイド板ホルダが、相互に係合して、ＬＣＤホルダに対するフロントライトガイド板の位置を、フロントライトガイド板ホルダが液晶表示板を押す位置に固定する各係合部を備えることが好ましい。
【００１４】
これらの係合部を設けると、これらの係合部どうしを係合させることにより、ＬＣＤホルダ内のフロントライトガイド板の位置が固定され、ＬＣＤホルダ内の液晶表示板およびフロントライトガイド板が一体的なモジュールとして組み立てられる。また、ＬＣＤホルダとフロントライトガイド板ホルダは係合部どうしの係合により組立てられているため、その係合を外すことにより、その液晶表示モジュールからフロントライトガイド板ホルダ付きのフロントライトガイド板を容易に取り外し部品交換等を行なうことができる。
【００１５】
ここで、上記のＬＣＤホルダとフロントライトガイド板ホルダが、相互に係合して、ＬＣＤホルダに対するフロントライトガイド板の位置を、フロントライトガイド板ホルダが液晶表示板を押す位置に固定する各係合部を備えた構造を有する場合に、さらに、液晶表示板上面周縁とフロントライトガイド板ホルダとの間に、ＬＣＤホルダとフロントライトガイド板ホルダとの双方の係合部どうしの係合により圧縮されて液晶表示板とフロントライトガイド板との間を密封するガスケットを備えることが好ましい。
【００１６】
このようなガスケットを備え、上記の係合部どうしの係合によりそのガスケットを圧縮して液晶表示板とフロントライトガイド板との間を密封する構造にすることにより、組立て後に液晶表示板とフロントライトガイド板との間にゴミや粉塵が侵入するのが防止され、表示性能が維持されて表示の信頼性が向上する。
【００１７】
さらに、上記本発明の液晶表示モジュールにおいて、液晶表示板が、所定のフレキシブル基板取付側に段差を持った、液晶層を含む複数の層を挟む２板のガラス板を有し、それら２枚のガラス板のうちの、段差を持って張り出した側の１枚のガラス板の段差の部分に、この液晶表示板駆動用の配線が形成されたフレキシブル基板の一端が取り付けられ、さらにその一端を上記の１枚のガラス板の段差の部分との間に挟む補強板を備えることが好ましい。
【００１８】
フレキシブル基板を取り付けるには、フレキシブル基板を取り付ける台になる部分が必要である。このため、液晶表示板の場合、液晶層等を２枚のガラス板で挟む構造であることを利用し、それらの２枚のガラス板のうちの１枚のガラス板をもう１枚のガラス板から段差を持って張り出した構造とし、その張り出した側のガラス板の段差の部分を台としてフレキシブル基板が取り付けられる。ここで、そのフレキシブル基板の、ガラス板の段差の部分に取り付けられた一端をその段差の部分との間に挟む補強板を備えたため、フレキシブル基板が強固に固定され、電気的な接続の信頼性が向上する。
【００１９】
さらに、上記本発明の液晶表示モジュールにおいて、液晶表示板を駆動するための配線が形成され液晶表示板に一端が固定された第１のフレキシブル基板と、
フロントライトガイド板の一側面に隣接してそのフロントライトガイド板と一体的に配備された、光源と、その光源からの光を導いてフロントライトガイド板に一側面から入射させるライドガイドバーと、光源への電力供給用の配線が形成された第２のフレキシブル基板とを有する光源モジュールとを備え、
上記第１のフレキシブル基板と上記第２のフレキシブル基板が、相互に組み合う結合部を備えたものであることが好ましい。
【００２０】
液晶表示モジュールでは、液晶表示板への配線のためのフレキシブル基板と、フロントライトガイド板に光を入射する光源モジュールへの配線のためのフレキシブル基板とが必要となるが、それら双方のフレキシブル基板に相互に組み合う結合部を設けたことにより、それらの結合部を相互に結合させることによりそれらのフレキシブル基板を一体的なものとして取扱うことができ、この液晶表示モジュールを携帯電話等の装置に組み込むときの作業性が向上する。
【００２１】
また、上記目的を達成する本発明の携帯端末は、画像を表示する液晶表示モジュールを内蔵した携帯端末であって、
上記液晶表示モジュールが
ＬＣＤホルダに配備された液晶表示板と、
ＬＣＤホルダ内の、液晶表示板の前面に配備された、側面から入射した光をガイドして背面から液晶表示板に向けて出射するとともに液晶表示板で反射した光を背面から入射して前面に出射するフロントライトガイド板と、
前記フロントライトガイド板周縁を覆ってそのフロントライトガイド板を支持し、そのフロントライトガイド板と一体的にＬＣＤホルダ内に配備されたフロントライトガイド板ホルダとを備えたものであることを特徴とする。
【００２２】
【発明の実施の形態】
以下、本発明の実施形態について説明する。
【００２３】
図１は、本発明の一実施形態としての液晶表示モジュールが組み込まれた、本発明の携帯端末の一実施形態としての携帯電話の外観斜視図、図２は、図１に示す携帯電話の内部に組み込まれた液晶表示モジュールを示す透視図である。
【００２４】
図１に示す携帯電話１は、二つ折りに折り畳むことのできる折り畳み式の携帯電話であり、その二つ折りの一方の部分２には、電話番号やその他の情報を入力する操作ボタン２１が配列されており、また、しゃべった音声を内部のマイクロホンに伝えるための穴２２が形成されている。また、その二つ折りのもう一方の部分３には、電話番号やその他各種の情報を表示する表示画面３１や、通信のためのアンテナ３２が配備されている。表示画面３１の内部には、図２に示すように液晶表示モジュール１００が備えられており、その液晶表示モジュールに表示された画像が表示画面３１を透して見える構造となっている。
【００２５】
以下では、この携帯電話１に組み込まれる液晶表示モジュール１００について説明する。
【００２６】
図３は、液晶表示モジュールの分解斜視図、図４は、その液晶表示モジュールの組立状態の断面図である。
【００２７】
この液晶表示モジュール１００は、図３に示す用に、フロントライトモジュール１１０（図３（Ａ））と、ＬＣＤセルモジュール１３０（図３（Ｂ））と、ＬＣＤホルダ１５０（図３（Ｃ））とからなる。図３（Ｄ）は、フロントライドモジュール１１０を構成するＬＥＤ用フレキシブル基板（ＦＰＣ）とＬＣＤセルモジュール１３０を構成するセル用ＦＰＣとが組み合わさった状態を示している。詳細は後述する。
【００２８】
（図３（Ａ））のフロントライトモジュール１１０は、フロントライトガイド板１１１と、フロントライトガイド板ホルダ１１２と、光源モジュール１１３とを有する。
【００２９】
フロントライトガイド板１１１は、その前面に、光を下に向けて反射する多数の細かい筋状の凹凸が設けられており、光源モジュール１１３で発光した光をその一側面から入射し、背面（図３の下側の面）から、ＬＣＤセルモジュール１３０の液晶表示板１３１に向けて出射するとともに、その液晶表示板１３１で反射した光を背面から入射して前面（図３の上側の面）から出射するものである。これにより、液晶表示板１３１上の液晶の偏光パターンが画像として観察される。ここで、外光があるときは、その外光もフロントライトガイド板１１１を透って液晶表示板１３１を照射するため、明るい所では、その画像がより明るく見えることになる。
【００３０】
また、フロントライトガイド板ホルダ１１２は、図４に示すように、フロントライトガイド板１１１の周縁を覆ってそのフロントライトガイド板１１１を支持するものである。ただし、フロントライトガイド板１１１の、光源モジュール１１３側の端面は、その端面から光を取り込む必要上フロントライトガイド板ホルダ１１２に覆われておらず、フロントライトガイド板１１１の、その端面側の縁については、その縁の前面（図３の上側の面）と背面（図３の下側の面）の部分のみフロントライトガイド板ホルダ１１２に覆われている。
【００３１】
ライトガイド板ホルダ１１２には、左右２箇所ずつ、合計４箇所に嵌合爪１１２ａが設けられている。フロントライトガイド板モジュール１１０は、組立てにあたってＬＣＤホルダ１５０（図３（Ｃ）参照）に収容されるが、そのときに、図４に示すように、ライトガイド板ホルダ１１２の嵌合爪１１２ａがその嵌合爪１１２ａに対応した位置に設けられたＬＣＤホルダ１５０の嵌合穴１５１に嵌入して、フロントライトモジュール１１０がＬＣＤホルダ１５０内に固定されるようになっている。組立構造についてはさらに後で説明する。
【００３２】
光源モジュール１１３は、ＬＥＤを備え、そのＬＥＤから発せられた光をフロントライトガイド板１１１にその側面から入射する役割りを担っている。
【００３３】
図５は、光源モジュール１１３の基本構成図である。
【００３４】
この光源モジュール１１３は、両端に１つずつ配備されたＬＥＤ１１３１とそれらのＬＥＤ１１３１どうしの間に配備されたライトガイドバー１１３２と、ＬＥＤ用ＦＰＣ（フレキシブル基板）１１３３を有する。
【００３５】
ＬＥＤ１１３１は、ＬＥＤ用ＦＰＣ１１３３上の配線を通って供給された電力を受け取ってライトガイドバー１１３２に向けて発光する。ライトガイドバー１１３２には、フロントライトガイド板１１１から離れた側の側面１１３２ａに、フロントライトガイド板１１１に向けて光を反射する多数の細かい凹凸が形成されており、ライトガイドバー１１３２は、それらのＬＥＤ１１３１からの光を伝達してフロントライトガイド板１１１に向けて出射しライトガイド板１１１にその一端面から光を入射させる。
【００３６】
フロントライトガイド板１１１は、上述したように、その入射した光を伝達しその背面から液晶表示板１３１に向けて光を出射する。
【００３７】
光源モジュール１１３は、図５には図示されていないが、２つのＬＥＤ１１３１およびライトガイドバー１１３２の周囲がアルミニウム板１１３４（図３参照）で囲まれており、ライトガイドバー１１３２からの無駄な光洩れが防止されているとともに光源モジュール１１３の補強にも役立っている。
【００３８】
ここで、このフロントライトモジュール１１０は、フロントライトガイド板１１１の周縁を覆ってフロントライトガイド板を支持するフロントライトガイド板ホルダ１１２を備えているため、この液晶表示モジュール１００の組立てにあたりフロントライトガイド板ホルダ１１２を指で持つことができ、したがってフロントライトガイド板１１１には直接に指を触れずに済み、フロントライトガイド板への皮脂、ゴミ、糸ケバなどの付着が防止され、フロントライトガイド板１１１の不良発生が大幅に抑えられる。
【００３９】
また、図４に示すようにフロントライトガイド板ホルダ１１２は、フロントライトガイド板１１１の周縁を覆っているため、フロントライトガイド板１１１との間に段差ができており、このフロントライトモジュールの保管時にも保管トレー上にある微細なゴミ等がフロントライトガイド板１１１に直接に接触する事が避けられる。このように本実施形態では、フロントライトガイド板ホルダ１１２を備えたため、フロントライトガイド板１１１の光学的な劣化が大きく抑制される。
【００４０】
また、フロントライトガイド板１１１はフロントライトガイド板ホルダ１１２で囲い込まれているためその内部を伝わる光が側面から漏れてしまうのが防止され、その利用効率が高められている。さらに、フロントライトガイド板１１０は、ＬＣＤホルダ１５０内に組み立てられた状態においては、図４に示すように、その側面がフロントライトガイド板ホルダ１１２とに囲われるとともにさらにその外側がＬＣＤホルダ１５０に囲われることになり、このように二重に囲い込まれているために、側面からの光漏れが完全に防止されている。
【００４１】
図３（Ｂ）に示すＬＣＤセルモジュール１３０は、液晶表示板１３１と、その液晶表示板１３１の上面周縁を一周するガスケット１３２と、セル用ＦＰＣ１３３と、補強板１３４を有する。
【００４２】
液晶表示板１３１は、セル用ＦＰＣ１３３上の配線を伝達してきた制御信号に応じて各液晶セルの配向が変化し、それに応じて上から照射された光の反射状態が変化し、画像として観察されるようになっている。
【００４３】
ガスケット１３２は、図４に示すように、組立時にフロントライトガイド板ホルダ１１２によって上から押されて圧縮し、その状態のままフロントライトガイド板ホルダ１１２の嵌合爪１１２ａがＬＣＤホルダ１５０の嵌合穴１５１に嵌入するためガスケット１３２は圧縮されたままの状態となる。このガスケット１３２は、左右２箇所ずつ、合計４箇所の嵌合爪１１２ａと嵌合穴１５１との嵌合により、安定的に圧縮状態が保たれる。このため、液晶表示板１３１とフロントライトガイド板１１１との間は圧縮されたガスケット１３２により密封された状態に保たれ、組立後における、それらの間へのゴミや粉塵等の侵入が防止される。
【００４４】
また液晶表示板１３１は、図４に示すように、積み重ねられた２枚のガラス板１３１１，１３１２と、その上に重ねられた偏光板１３１３を有する。偏光板１３１３は２枚のガラス板１３１１，１３１２よりも少し小さい寸法を有しており、ガスケット１３２は、ガラス板１３１２の上面周縁に配備されている。
【００４５】
２枚のガラス板１３１１，１３１２の間には液晶層やその他フィルタ層、反射層等の複数の層が形成され、それらの層が２枚のガラス板１３１１，１３１２で挟まれた構造となっている。それら２枚のガラス板１３１１，１３１２の側面は図４では同一面となっているが、図３（Ｂ）に示すように、セル用ＦＰＣ１３３が接続された側については、下のガラス板１３１１が上のガラス板１３１２よりも少し張り出した状態となっている。
【００４６】
セル用ＦＰＣ１３３の一端が下のガラス板１３１１の上面に取り付けられ、さらにそのセル用ＦＰＣ１３３の、下のガラス板に取り付けられた部分が、補強板１３４により、ガラス板１３１１との間に挟持されている。このため、このセル用ＦＰＣ１３３はガラス板１３１１上にしっかりと固定され、配線の信頼性が高められている。また、この補強板１３４は、組立状態におけるフロントライトガイド板ホルダ１１２との隙間（２枚のガラス板の段差）を埋める役割りも兼ねており、この液晶表示モジュール１００の強度向上にも寄与している。
【００４７】
また、セル用ＦＰＣ１３３の端面には、図３（Ｄ）に示すように、コネクタ１３３１が取り付けられている。このコネクタ１３３１には、図３（Ａ）に示すフロントライトモジュール１１０に備えられたＬＥＤ用ＦＰＣの先端１１３３ａが挿入され、相互に電気的に接続される。このため、この図３の液晶表示モジュール１００を組立てた後は、これら２枚のＦＰＣ（ＬＥＤ用ＦＰＣ１１３３とセル用ＦＰＣ１３３）は一体的な一枚のＦＰＣとして取り扱うことができる。
【００４８】
図３（Ｃ）のＬＣＤホルダ１５０は、底板１５２と側板１５３を有する。側板１５３は、４辺を途切れなく囲い込む構造となっており、このためＬＣＤホルダ１５０が強固なものとなり、このＬＣＤホルダ１５０内にＬＣＤセルモジュール１３０とフロントライトモジュール１１０を組み立てたときの液晶表示モジュール１００全体としての強度が向上し、落下や圧迫等にも強い構造となっている。
【００４９】
上述したように、ＬＣＤホルダ１５０の側面１５３には、左右２箇所ずつ合計４箇所に嵌合穴１５１が設けられている。このように嵌合穴１５１を左右の同じ場所に設けることでフロントライトモジュール１１０を組み込んだときの保持強度のバランスが保たれる構造となっている。またフロントライトモジュール１１０は組み立て後、道具を使って嵌合爪１１２ａを嵌合穴１５１から外すことによって容易に取り外すことができ、部品交換を可能としている。ＬＣＤホルダ１５０の側面１５３には凹形状の部分１５３ａが設けられており、フロントライトモジュール１１０はこの部分で自由に組み込み、取外しが可能であり部品の交換性の良い構造となっている。また、フロントライトモジュール１１０のセル用ＦＰＣ１１３３はその先端１１３３ａをセル用ＦＰＣ１３３のコネクタ１３３１に差し込む構造となっているため、コネクタ１３３１からセル用ＦＰＣ１１３３の先端を引き抜くだけで２枚のＦＰＣが別々になり、この点からも部品の交換性の良い構造となっている。
【００５０】
さらに、ＬＣＤホルダ１５０の底板上面両脇には両面テープ１５４が貼付されている。この両面テープ１５４は、図４に示すように、組立時に液晶表示板１３１を固定する役割りを持っている。
【００５１】
さらにＬＣＤホルダ１５０の底板１５２には、図３（Ｃ）の左下に寄った位置に、裏面に貫通するスリット１５５が形成されている。
【００５２】
図３（Ｃ）のＬＣＤホルダ１５０にＬＣＤセルモジュール１３０およびフロントライトモジュール１１０を組み込むに当っては、そのスリット１５５に、セル用ＦＰＣ１３３およびＬＥＤ用ＦＰＣ１１３３が挿入されてセル用ＦＰＣ１３３の先端のコネクタ１３３１にＬＥＤ用ＦＰＣ１１３３の先端１１３ａが挿入されて、図３（Ｄ）に示す方向に折り返される。
【００５３】
このようにして組み立てられた液晶表示モジュール１００は、図１，図２に示す携帯電話１に組み込むにあたり、図４に示すようにＬＣＤホルダ１５０がその爪１５６でメイン基板１７０を抱え込むようにしてメイン基板１７０に固定され、そのセル用ＦＰＣ１３３およびＬＥＤ用ＦＰＣ１１３３は、そのメイン基板１７０に接続される。
【００５４】
ここで、セル用ＦＰＣ１３３はＬＣＤセルモジュール１３０に１枚のみ設けられており、また、そのセル用ＦＰＣ１３３とＬＥＤ用ＦＰＣ１１３３とが組み合って１枚のＦＰＣとして取り扱うことができ、このため液晶表示モジュール１００全体の厚さを薄くすることが可能であり、メイン基板への接続の作業もメイン基板１７０上のコネクタ（図示せず）への一回の差込みで済み、組立作業の簡素化も図られている。
【００５５】
図６は、図３に分解斜視図を示す液晶表示モジュールの組立状態の形状を示す図であり、図６（Ａ）〜（Ｄ）は、それぞれ、上面図（Ａ）、平面図（Ｂ）、底面図（Ｃ）、および右側面図（Ｄ）である。
【００５６】
また図７は、図６に示す液晶表示モジュールと同一の液晶表示モジュールの裏面図である。
【００５７】
このＬＣＤホルダの底板１５２の裏面には、対角の離れた位置に２つの位置決めピン１５６が設けられている。このように位置決めピンどうしの間隔を広げることで、この液晶表示モジュール１００の、携帯電話内での位置決めが正確になされ、この液晶表示モジュール１００の画面の傾きを十分小さく抑えることを可能としている。
【００５８】
図８は、本発明の液晶表示モジュールのもう１つの実施形態の分解斜視図である。
【００５９】
ここでは、前述の実施形態（図３〜図７）と比べ同一の作用を成す部材には多少の形状の差異があっても同一の符号を付して示し、前述の実施形態との相違点について説明する。
【００６０】
図８に示す液晶表示モジュール１００の場合、フロントライトモジュール１１０（図８（Ａ））を構成するＬＥＤ用ＦＰＣ１１３３、およびＬＣＤセルモジュール１３０（図８（Ｂ））を構成するセル用ＦＰＣ１３３の長さが短かいものとなっている。
【００６１】
図８（Ｃ）のＬＣＤホルダ１５０は、携帯電話内での寸法の制約上、前述の実施形態と比べ少し短い形状となっており、図８（Ａ）のフロントライトモジュール１１０を構成する光源モジュール１１３のＬＥＤ用ＦＰＣ１１３３の飛び出し部分１１３３ｂがＬＣＤホルダ１５０の側面から突出するようにそのＬＣＤホルダ１５０の側面にスリット１５６が形成されている。
【００６２】
また、この図８に示すＬＣＤホルダ１５０には、図３等に示す、側板１５３の切り欠き部分１５３ａは設けられていない。
【００６３】
その他の点は、多少の形状等の相違はあるものの前述の実施形態と同様であり、これ以上の説明は重複することになるため省略する。
【００６４】
尚、ここでは、携帯電話、および携帯電話に組み込まれる液晶表示モジュールについて説明したが、本発明の液晶表示モジュールはどのような機器に組み込まれるものであってもよく、また、その液晶表示モジュールが組み込まれた本発明の携帯端末は、携帯電話である必要はなく、表示画面を有する他の種類の携帯端末、例えば小型の表示画面を備えたノート型パーソナルコンピュータやそれに類するものであってもよい。
【００６５】
【発明の効果】
以上、説明したように、本発明によれば表示性能の低下を招くことなく容易に組み立てられるとともに、その良好な表示性能が長期間保持される。
【図面の簡単な説明】
【図１】本発明の一実施形態としての液晶表示モジュールが組み込まれた、本発明の携帯端末の一実施形態としての携帯電話の外観斜視図である。
【図２】図１に示す携帯電話の内部に組み込まれた液晶表示モジュールを示す透視図である。
【図３】液晶表示モジュールの分解斜視図である。
【図４】液晶表示モジュールの組立状態の断面図である。
【図５】光源モジュールの基本構成図である。
【図６】図３に分解斜視図を示す液晶表示モジュールの組立状態の形状を示す図である。
【図７】図６に示す液晶表示モジュールと同一の液晶表示モジュールの裏面図である。
【図８】本発明の液晶表示モジュールのもう１つの実施形態の分解斜視図である。
【符号の説明】
１    携帯電話
１００    液晶表示モジュール
１１０    フロントライトモジュール
１１１    フロントライトガイド板
１１２    フロントライトガイド板ホルダ
１１２ａ    嵌合爪
１１３    光源モジュール
１３０    ＬＣＤセルモジュール
１３１    液晶表示板
１３２    ガスケット
１３３    セル用ＦＰＣ
１３４    補強板
１５０    ＬＣＤホルダ
１５１    嵌合穴
１５２    底板
１５３    側板
１５３ａ    凹形状の部分
１５４    両面テープ
１５５    スリット
１５６    爪
１１３１    ＬＥＤ
１１３２    ライトガイドバー
１１３３    ＬＥＤ用ＦＰＣ（フレキシブル基板）
１３１１，１３１２    ガラス板
１３１３    偏光板
【図１】
0004813701.tif 000002
【図２】
0004813701.tif 000003
【図３】
0004813701.tif 000004
【図４】
0004813701.tif 000005
【図５】
0004813701.tif 000006
【図６】
0004813701.tif 000007
【図７】
0004813701.tif 000008
【図８】
0004813701.tif 000009